(57)【要約】【課題】相手側端子に対する端子の導通性および端子の雨水等に対する止水性を同時に保つことができるコネクタハウジングおよびワイヤハーネスを提供する。【解決手段】一端部から他端部に向けて貫通する切圧線収容室３１ａを備え、電線２１の端部に端子２２が圧着された切圧線２０を切圧線収容室３１ａに収容するコネクタハウジング３１であって、切圧線収容室３１ａの所定個所で電線２１を周方向に取り囲むよう止水剤４０が充填される止水剤充填部３１ｂと、コネクタハウジング３１の外部から止水剤充填部３１ｂに止水剤４０を送給する止水剤送給孔３１ｃと、止水剤充填部３１ｂから端子２２側へ向かう止水剤４０の流動を抑える端子側流動抑え突起部３１ｄと、端子側流動抑え突起部３１ｄを乗り越えた止水剤４０を溜める端子側止水剤溜め溝部３１ｅと、がコネクタハウジング３１に形成された構成である。【選択図】図３
2015204274.tif 000002
【特許請求の範囲】
【請求項１】
一端部から他端部に向けて貫通する切圧線収容室を有するコネクタハウジングを備え、電線の端部に端子が圧着された切圧線を前記切圧線収容室に収容するコネクタハウジングであって、
前記切圧線収容室の所定個所で前記電線を周方向に取り囲むよう止水剤が充填される止水剤充填部と、外部から前記止水剤充填部に止水剤を送給する止水剤送給孔と、前記止水剤充填部から前記端子側へ向かう前記止水剤の流動を抑える端子側流動抑え突起部と、前記端子側流動抑え突起部を乗り越えた前記止水剤を溜める端子側止水剤溜め溝部と、が形成されたことを特徴とするコネクタハウジング。
【請求項２】
前記止水剤充填部から電線延長方向へ向かう前記止水剤の流動を抑える電線側流動抑え突起部と、前記電線側流動抑え突起部を乗り越えた前記止水剤を溜める電線側止水剤溜め溝部と、が形成されたことを特徴とする請求項１に記載のコネクタハウジング。
【請求項３】
請求項１または請求項２に記載のコネクタハウジングの切圧線収容室に切圧線を収容し、止水剤充填部に電線を周方向に取り囲むよう止水剤として、室温硬化性を有するとともに、７０Ｐａ・ｓ以上の粘度でかつ流動性を有する液状ゴムを前記止水剤充填部に充填したことを特徴とするワイヤハーネス。
【発明の詳細な説明】
【技術分野】
【０００１】
本発明は、コネクタハウジングおよびワイヤハーネスに関する。
【背景技術】
【０００２】
従来、自動車に配索される電線群と自動車に搭載される電子機器との接続に用いるコネクタにおいて、雨水等が電線を伝って端子側へ入り込まないよう構成したものが知られている（例えば、特許文献１〜３参照）。
【０００３】
図５は特許文献１に記載されたコネクタを示す。図５において、コネクタ１００は、複数の端子収容室１０１ａおよび各端子収容室１０１ａに連通する１つのシール材収容室１０１ｂが形成されたコネクタハウジング１０１と、シール材収容室１０１ｂに収容されるシリコンジェル１０２と、複数の端子案内孔１０３ａを有し、シール材収容室１０１ｂに収納したシリコンジェル１０２を端子収容室１０１ａ側に向けて圧縮するシール材圧縮部材１０３と、を有して構成されている。
【０００４】
このコネクタ１００は、電線１０４ａの端部に圧着した端子１０４ｂを、シール材圧縮部材１０３の端子案内孔１０３ａに鎖してシリコンジェル１０２に貫通させることにより、端子１０４ｂをコネクタハウジング１０１の端子収容室１０１ａに収容するようになっている。
【０００５】
特許文献２に記載されているコネクタは、コネクタハウジングに形成されている接続端子嵌着部の対向する両壁部に、薄肉ヒンジを介して接続端子嵌着部を閉塞する方向に開閉する一対のジェル収納枠を設け、双方のジェル枠内にシリコンジェルを収納し、双方のジェル収納枠で端子嵌着部を閉塞する際に、双方のジェル収納枠に収納したシリコンジェルにより電線の周囲およびコンタクトハウジングの接続端子嵌着部を水密的の挟圧維持するよう構成されている。
【０００６】
特許文献３に記載されているコネクタは、接続端子を収納可能なハウジングと、ハウジングに対して開閉自在に取り付けられ、少なくとも接続端子の電気配線を固着接続する固着部分を覆うカバーと、カバーを閉じたときにハウジングおよびカバーの間の隙間を液密にするようカバーおよびハウジングの間に充填された紫外線硬化樹脂とにより構成されている。
【先行技術文献】
【特許文献】
【０００７】
【特許文献１】特開２００７−１０３０４５号公報
【特許文献２】特開平１１−３２９５７３号公報
【特許文献３】特開平１０−２８４１７０号公報
【発明の概要】
【発明が解決しようとする課題】
【０００８】
しかしながら、特許文献１におけるコネクタ１００は、端子１０４ｂがシリコンジェル１０２を貫通する際に、端子１０４ｂにシリコンジェル１０２が付着し、コネクタハウジング１０１内にシリコンジェル１０２の滓が入り込む。シリコンジェル１０２の滓が端子１０４ｂに付着していると、コネクタ１００が接続される相手側コネクタの相手側端子に対する端子１０４ｂの導通性に悪影響を及ぼすため、コネクタハウジング１０１内を洗浄する必要があった。また、端子１０４ｂの外径が電線１０４ａの外径よりも大きいと、シリコンジェル１０２において端子１０４ｂが通過した後の開口部の内周面と電線１０４ａの外周面との間に空隙が形成されるため、雨水等が電線１０４ａを伝って端子１０４ｂ側に入り込み、端子１０４ｂの止水性を保てなくなるという問題があった。
【０００９】
特許文献２におけるコネクタは、コネクタハウジングに薄肉ヒンジを介して一対のジェル収納枠を設けているため、構造が複雑であり、高コストになるという問題があった。また、特許文献２におけるコネクタは、コア線をシースで覆ったシールド電線のみが使用できるという制約があった。
【００１０】
特許文献３におけるコネクタは、カバーとハウジングとの間隙が液密構造となっていないため、雨水等がカバーとハウジングとの隙間からハウジング内部に入り込み、接続端子の止水性を保てなくなるという問題があった。また、特許文献３におけるコネクタは、接続端子をハウジング内に挿入し、カバーを閉じた際に、紫外線硬化樹脂がカバーの周囲にはみ出し、紫外線硬化樹脂が接続端子の嵌着部分に流れ込んで、相手側コネクタの相手側端子に対する接続端子の導通性に悪影響を及ぼすことが懸念される。
【００１１】
本発明は、上述のような課題を解決するためになされたもので、相手側端子に対する端子の導通性および端子に対する雨水等の止水性を同時に保つことができるコネクタハウジングおよびワイヤハーネスを提供することを目的としている。
【課題を解決するための手段】
【００１２】
本発明に係るコネクタハウジングは、上記目的を達成するため、一端部から他端部に向けて貫通する切圧線収容室を備え、電線の端部に端子が圧着された切圧線を前記切圧線収容室に収容するコネクタハウジングであって、前記切圧線収容室の所定個所で前記電線を周方向に取り囲むよう止水剤が充填される止水剤充填部と、外部から前記止水剤充填部に止水剤を送給する止水剤送給孔と、前記止水剤充填部から前記端子側へ向かう前記止水剤の流動を抑える端子側流動抑え突起部と、前記端子側流動抑え突起部を乗り越えた前記止水剤を溜める端子側止水剤溜め溝部と、が形成された構成である。
【００１３】
この構成により、本発明に係るコネクタハウジングは、外部から止水剤送給孔を経て止水剤充填部に充填される止水剤によって、止水剤充填部と切圧線の電線との間の空隙を閉止するため、雨水等が電線を伝って切圧線収容室から端子側へ入り込まず、端子および電線の外径寸法に関係なく端子に対する雨水等の止水性を保つことができる。
【００１４】
これに加えて、本発明に係るコネクタハウジングは、外部から止水剤送給孔および止水剤充填部を観察することにより、止水剤充填部に止水剤が充填されたか否かを判断することができる。
【００１５】
また、本発明に係るコネクタハウジングは、単一の成形体であるので、製造コストを低減することができる。
【００１６】
また、本発明に係るコネクタハウジングは、外部から止水剤送給孔を経て止水剤充填部に充填され、端子側流動抑え突起部を乗り越えた止水剤を端子側止水剤溜め溝部に溜めるため、端子に止水剤が付着することがなく、端子を洗浄しなくても、相手側端子に対する端子の導電性を保つことができる。
【００１７】
上述した構成のコネクタハウジングにおいて、前記止水剤充填部から電線延長方向へ向かう前記止水剤の流動を抑える電線側流動抑え突起部と、前記電線側流動抑え突起部を乗り越えた前記止水剤を溜める電線側止水剤溜め溝部と、が形成されていることが好ましい。
【００１８】
この構成により、本発明に係るコネクタハウジングは、外部から止水剤送給孔を経て止水剤充填部に充填され、電線側流動抑え突起部を乗り越えた止水剤を電線側止水剤溜め溝部に溜めるため、切圧線収容室の反端子側の端部から外部に止水剤が漏出することがなく、外部を洗浄しなくてもよい。
【００１９】
本発明に係るワイヤハーネスは、上記目的を達成するため、上述したコネクタハウジングの切圧線収容室に切圧線を収容し、止水剤充填部に電線を周方向に取り囲むよう止水剤として、室温硬化性を有するとともに、７０Ｐａ・ｓ以上の粘度でかつ流動性を有する液状ゴムを前記止水剤充填部に充填した構成とする。
【００２０】
この構成により、本発明に係るワイヤハーネスは、止水剤充填部に充填した止水剤が止水剤充填部と切圧線の電線との間の空隙を閉止するため、雨水等が電線を伝って切圧線収容室から端子側へ入り込まず、端子および電線の外径寸法に関係なく端子に対する雨水等の止水性を保つことができる。
【００２１】
また、本発明に係るワイヤハーネスは、止水剤充填部に充填され、端子側流動抑え突起部を乗り越えた止水剤が端子側止水剤溜め溝部に溜まるため、端子に止水剤が付着することがなく、端子を洗浄しなくても、相手側端子に対する端子の導電性を保つことができる。
【００２２】
また、本発明に係るワイヤハーネスは、１本の切圧線について相手側端子に対する導通性および端子に対する雨水等の止水性に優れているだけでなく、特に複数の切圧線を備える場合においても、切圧線間に止水剤が良好に入り込んで硬化するので、従来技術に比べて、導通性および止水性に優れている。
【発明の効果】
【００２３】
本発明によれば、相手側端子に対する端子の導通性および端子に対する雨水等の止水性を同時に保つことができるコネクタハウジングおよびワイヤハーネスを提供することができる。
【図面の簡単な説明】
【００２４】
【図１】本発明の第１の実施の形態に係るワイヤハーネスの概略斜視図である。
【図２】本発明の第１の実施の形態に係るワイヤハーネスにおけるコネクタハウジングに切圧線を組み付けた状態を示す概略縦断面図である。
【図３】本発明の第１の実施の形態に係るワイヤハーネスにおけるコネクタハウジングの止水剤充填部に止水剤を充填する工程を示す概略縦断面図であり、（Ａ）は止水剤充填部に止水剤の送給を開始した状態を表し、（Ｂ）は止水剤が端子側流動抑え突起部および電線側流動抑え突起部を乗り越えて溜める端子側止水剤溜め溝部および電線側止水剤溜め溝部に滴下する状態を表し、（Ｃ）は止水剤によって止水剤充填部の内面部と切圧線との間の空隙を閉止される状態を表している。
【図４】本発明の第２の実施の形態に係るワイヤハーネスの概略縦断面図である。
【図５】従来のコネクタを示す全体分解斜視図である。
【発明を実施するための形態】
【００２５】
以下、本発明の実施の形態に係るコネクタハウジングおよびワイヤハーネスについて、図面を参照して説明する。
【００２６】
（第１の実施の形態）
図１に示すように、本実施の形態に係るワイヤハーネス１０は、複数の切圧線２０と、コネクタハウジング３１と、を含んで構成されており、自動車に配索されるものである。切圧線２０は、図２に示すように、自動車に搭載された電子機器間を電気的に接続する電線２１の端部に端子２２を圧着した構成となっている。
【００２７】
コネクタハウジング３１は、図２に示すように、一端部から他端部に向けて貫通する切圧線収容室３１ａを備え、切圧線収容室３１ａに複数の切圧線２０の端子２２および電線２１の端部を幅方向に並列に収容するようになっている。
【００２８】
コネクタハウジング３１は、図３に示すように、切圧線収容室３１ａの所定個所で電線２１を周方向に取り囲むよう止水剤４０が充填される止水剤充填部３１ｂと、外部から止水剤充填部３１ｂに止水剤４０を送給する止水剤送給孔３１ｃと、止水剤充填部３１ｂから端子２２側へ向かう止水剤４０の流動を抑える端子側流動抑え突起部３１ｄと、端子側流動抑え突起部３１ｄを乗り越えた止水剤４０を溜める端子側止水剤溜め溝部３１ｅと、止水剤充填部３１ｂから電線延長方向へ向かう止水剤４０の流動を抑える電線側流動抑え突起部３１ｆと、電線側流動抑え突起部３１ｆを乗り越えた止水剤４０を溜める電線側止水剤溜め溝部３１ｇと、が形成されている。
【００２９】
また、コネクタハウジング３１には、切圧線収容室３１ａに収容した切圧線２０の端子２２のノッチ部２２ａに嵌合して端子２２を固定するランス部３１ｈが形成されている。
【００３０】
さらに、コネクタハウジング３１は、端子２２側の端部に端子２２を取り囲む矩形状の凹部３１ｉが形成された雌型コネクタハウジングであり、凹部３１ｉに嵌り込む凸部を有する図示しない雄型コネクタハウジングと嵌合し、端子２２が雄型コネクタハウジングの図示しない端子と電気的に接続されるようになっている。
【００３１】
止水剤４０は、室温硬化性を有するとともに、７０Ｐａ・ｓ以上の粘度でかつ流動性を有する液状ゴムであり、止水剤充填部３１ｂに電線２１を周方向に取り囲むよう充填されている。止水剤４０として粘度が低い（７０Ｐａ・ｓ未満）である液状ゴムは、室温硬化する前にコネクタハウジング３３の外部へ流出してしまい、止水剤としての用をなさないので発明構成要件から除外される。
【００３２】
止水剤４０は、コネクタハウジング３１の外部から止水剤送給孔３１ｃを経て止水剤充填部３１ｂに送給され、送給開始直後は、図３（Ａ）に示すように、止水剤充填部３１ｂに溜まるが、止水剤充填部３１ｂに溜まった止水剤４０の量が、端子側流動抑え突起部３１ｄと電線側流動抑え突起部３１ｆとの間における止水剤貯留許容量を上回ると、図３（Ｂ）に示すように、端子側流動抑え突起部３１ｄおよび電線側流動抑え突起部３１ｆを乗り越えて、端子側止水剤溜め溝部３１ｅおよび電線側止水剤溜め溝部３１ｇに滴下する。
【００３３】
止水剤４０は、時間経過により硬化が進むと、端子側止水剤溜め溝部３１ｅおよび電線側止水剤溜め溝部３１ｇに滴下しなくなり、止水剤充填部３１ｂへの送給を継続すると、図３（Ｃ）に示すように、止水剤充填部３１ｂに電線２１を周方向に取り囲むよう充填され、止水剤充填部３１ｂの内面部と切圧線２０との間の空隙を閉止することになる。
【００３４】
本実施の形態に係るワイヤハーネス１０は、止水剤充填部３１ｂに電線２１を周方向に取り囲むよう充填した止水剤４０が止水剤充填部３１ｂの内面部と切圧線２０との間の空隙を閉止するため、雨水等が電線２１を伝って切圧線収容室３１ａから端子２２側へ入り込まず、端子２２および電線２１の外径寸法に関係なく端子２２の雨水等に対する止水性を保つことができる。
【００３５】
また、本実施の形態に係るワイヤハーネス１０は、コネクタハウジング３１の外部から止水剤送給孔３１ｃおよび止水剤充填部３１ｂを観察することにより、止水剤充填部３１ｂに止水剤４０が充填されたか否かを判断することができる。
【００３６】
また、本実施の形態に係るワイヤハーネス１０は、コネクタハウジング３１の外部から止水剤送給孔３１ｃを経て止水剤充填部３１ｂに送給され、端子側流動抑え突起部３１ｄを乗り越えた止水剤４０を端子側止水剤溜め溝部３１ｅに溜めるため、端子２２に止水剤４０が付着することがなく、端子２２を洗浄しなくても、相手側端子に対する端子２２の導電性を保つことができる。
【００３７】
また、本実施の形態に係るワイヤハーネス１０は、コネクタハウジング３１の外部から止水剤送給孔３１ｃを経て止水剤充填部３１ｂに送給され、電線側流動抑え突起部３１ｆを乗り越えた止水剤４０を電線側止水剤溜め溝部３１ｇに溜めるため、切圧線収容室３１ａの反端子側の端部からコネクタハウジング３１の外部に止水剤４０が漏出することがなく、コネクタハウジング３１の外部を洗浄しなくてもよい。
【００３８】
本実施の形態に係るワイヤハーネス１０におけるコネクタハウジング３１は、端子２２側の端部に凹部３１ｉを形成した雌型コネクタハウジングであったが、本発明に係るワイヤハーネスに用いるコネクタハウジングは、凹部３１ｉに嵌り込む凸部を端部に形成した雄型コネクタハウジングとすることもできる。
【００３９】
（第２の実施の形態）
図４に示すように、本実施の形態に係るワイヤハーネス１１は、複数の切圧線２０と、コネクタハウジング３３と、を含んで構成されており、自動車に配索されるものである。切圧線２０は、図１〜図３に示すものと同様な構造であるので詳細については説明を省略する。
【００４０】
コネクタハウジング３３は、一端部から他端部に向けて貫通する切圧線収容室３３ａを備え、切圧線収容室３３ａに複数の切圧線２０の端子２２および電線２１の端部を幅方向に並列に収容するようになっている。
【００４１】
コネクタハウジング３３は、切圧線収容室３３ａの所定個所で電線２１を周方向に取り囲むよう止水剤４０が充填される止水剤充填部３３ｂと、止水剤充填部３３ｂから端子２２側へ向かう止水剤４０の流動を抑える端子側流動抑え突起部３３ｄと、端子側流動抑え突起部３３ｄを乗り越えた止水剤４０を溜める端子側止水剤溜め溝部３３ｅと、止水剤充填部３３ｂから電線延長方向へ向かう止水剤４０の流動を抑える電線側流動抑え突起部３３ｆと、が形成されており、切圧線収容室３３ａが外部から止水剤充填部３３ｂに止水剤４０を送給する止水剤送給孔を兼ねている。
【００４２】
また、コネクタハウジング３３は、切圧線収容室３３ａに収容した切圧線２０の端子２２のノッチ部２２ａに嵌合して端子２２を固定するランス部３３ｈが形成されている。
【００４３】
さらに、コネクタハウジング３３は、端子２２側の端部に端子２２を取り囲む矩形状の凹部３３ｉが形成された雌型コネクタであり、凹部３３ｉに嵌り込む凸部を有する図示しない雄型コネクタと嵌合し、端子２２が雄型コネクタの図示しない端子と電気的に接続されるようになっている。
【００４４】
止水剤４０は、室温硬化性を有するとともに、７０Ｐａ・ｓ以上の粘度でかつ流動性を有する液状ゴムであり、止水剤充填部３３ｂに電線２１を周方向に取り囲むよう充填されている。止水剤４０として粘度が低い（７０Ｐａ・ｓ未満）である液状ゴムは、室温硬化する前にコネクタハウジング３３の外部へ流出してしまい、止水剤としての用をなさないので発明構成要件から除外される。
【００４５】
止水剤４０は、コネクタハウジング３３の反端子側の端部から切圧線収容室３３ａに差し込んだ図示しないスポイト等の液体注入手段により止水剤充填部３３ｂに送給され、止水剤充填部３３ｂに溜まった止水剤４０の量が、端子側流動抑え突起部３３ｄと電線側流動抑え突起部３３ｆとの間における止水剤貯留許容量を上回ると、端子側流動抑え突起部３３ｄを乗り越え、端子側止水剤溜め溝部３３ｅに滴下する。
【００４６】
止水剤４０は、時間経過により硬化が進むと、端子側止水剤溜め溝部３３ｅに滴下しなくなり、止水剤充填部３３ｂへの送給を継続すると、止水剤充填部３３ｂに電線２１を周方向に取り囲むよう充填され、止水剤充填部３３ｂの内面部と切圧線２０との間の空隙を閉止することになる。
【００４７】
本実施の形態に係るワイヤハーネス１１は、止水剤充填部３３ｂに電線２１を周方向に取り囲むよう充填した止水剤４０が止水剤充填部３３ｂの内面部と切圧線２０との間の空隙を閉止するため、雨水等が電線２１を伝って切圧線収容室３３ａから端子２２側へ入り込まず、端子２２および電線２１の外径寸法に関係なく端子２２の雨水等に対する止水性を保つことができる。
【００４８】
また、本実施の形態に係るワイヤハーネス１１は、コネクタハウジング３３の外部から止水剤送給孔を兼ねる切圧線収容室３３ａおよび止水剤充填部３３ｂを観察することにより、止水剤充填部３３ｂに止水剤４０が充填されたか否かを判断することができる。
【００４９】
また、本実施の形態に係るワイヤハーネス１１は、コネクタハウジング３３の外部から止水剤充填部３３ｂに送給され、端子側流動抑え突起部３３ｄを乗り越えた止水剤４０を端子側止水剤溜め溝部３３ｅに溜めるため、端子２２に止水剤４０が付着することがなく、端子２２を洗浄しなくても、相手側端子に対する端子２２の導電性を保つことができる。
【００５０】
また、本実施の形態に係るワイヤハーネス１１は、コネクタハウジング３３の外部から切圧線収容室３３ａおよび止水剤充填部３３ｂを観察しながら止水剤充填部３３ｂに止水剤４０を送給することができるので、切圧線収容室３１ａの反端子側の端部からコネクタハウジング３３の外部に止水剤４０が漏出するのを防ぐことができる。
【００５１】
本実施の形態に係るワイヤハーネス１１におけるコネクタハウジング３３は、端子２２側の端部に凹部３３ｉを形成した雌型コネクタハウジングであったが、本発明に係るワイヤハーネスに用いるコネクタハウジングは、凹部３１ｉに嵌り込む凸部を端部に形成した雄型コネクタハウジングとすることもできる。
【００５２】
以上説明したように、本発明に係るコネクタハウジングおよびワイヤハーネスは、相手側端子に対する端子の導通性および端子の雨水等に対する止水性を同時に保つことができるという効果を有し、コネクタハウジングおよびワイヤハーネス全般に有用である。
【符号の説明】
【００５３】
１０，１１  ワイヤハーネス
２０  切圧線
２１  電線
２２  端子
３１，３３  コネクタハウジング
３１ａ  切圧線収容室
３１ｂ，３３ｂ  止水剤充填部
３１ｃ  止水剤送給孔
３１ｄ，３３ｄ  端子側流動抑え突起部
３１ｅ，３３ｅ  端子側止水剤溜め溝部
３１ｆ，３３ｆ  電線側流動抑え突起部
３１ｇ  電線側止水剤溜め溝部
３３ａ  切圧線収容室（止水剤送給孔）
４０  止水剤
【図１】
2015204274.tif 000003
【図２】
2015204274.tif 000004
【図３】
2015204274.tif 000005
【図４】
2015204274.tif 000006
【図５】
2015204274.tif 000007